(57)【要約】【課題】値の比較を容易に可能ならしめる態様で血圧値を表示する。【解決手段】血圧測定をすることにより、平均算出部１０２１により算出された週毎の朝時間帯の平均血圧データと、週毎の夜時間帯の平均血圧データをメモリ３９に記憶する。週毎処理部１１４は、操作部４１を介して入力する指示に基づき、メモリ３９から読出した朝時間帯の平均血圧データと、夜時間帯の平均血圧データとを、表示部４０に、たとえば３秒毎に交互に切替え表示する。【選択図】図５
2010158352.tif 000002
【特許請求の範囲】
【請求項１】
生体の測定部位に装着されるカフと、
血圧測定のために前記カフの圧力を調整しながら血圧を算出する制御部と、
前記制御部により算出された朝に該当する時間帯に測定された朝血圧データと、夜に該当する時間帯に測定された夜血圧データを記憶する記憶部と、
表示部と、
前記表示部を用いた表示に関する指示を入力するために操作される表示操作部と、
前記記憶部からデータを読出し、読出したデータを前記表示部に表示する表示処理部とを備え、
前記表示処理部は、
前記表示操作部を介して入力する前記指示に基づき、前記記憶部から読出した前記朝血圧データと、前記夜血圧データとを、前記表示部に、所定時間毎に交互に切替え表示する、血圧測定装置。
【請求項２】
前記朝血圧データは、所定期間内の前記朝に該当する時間帯に測定された血圧のデータの平均を指し、
前記夜血圧データは、前記所定期間内の前記夜に該当する時間帯に測定された血圧のデータの平均を指す、請求項１に記載の血圧測定装置。
【請求項３】
前記表示処理部は、
前記表示操作部を介して前記指示が繰返し連続入力される場合において、当該指示が入力される毎に、前記記憶部から、測定時間の時系列順に従い血圧データを読出す、請求項１または２に記載の血圧測定装置。
【請求項４】
前記表示処理部は、
前記記憶部から前記朝血圧データを読出し前記表示部に表示しているとき、前記表示操作部を介して前記指示が入力されると、前記記憶部から次位の測定時間の前記朝血圧データを読出し前記表示部に表示し、
前記記憶部から前記夜血圧データを読出し前記表示部に表示しているとき、前記表示操作部を介して前記指示が入力されると、前記記憶部から次位の測定時間の前記夜血圧データを読出し前記表示部に表示する、請求項３に記載の血圧測定装置。
【請求項５】
前記表示処理部は、
前記朝血圧データを表示する場合に、当該朝血圧データの血圧値が、所定血圧区分に該当することを指す情報を、当該朝血圧データの表示画面と同一画面に表示する、請求項１から４のいずれかに記載の血圧測定装置。
【請求項６】
前記表示処理部は、
前記夜血圧データを表示する場合に、前記朝血圧データの血圧値が、前記所定血圧区分に該当することを指す情報を、当該夜血圧データの表示画面と同一画面に表示する、請求項５に記載の血圧測定装置。
【請求項７】
前記表示処理部は、
前記血圧データが指す血圧について、前記表示部の同一画面において、所定単位の複数のセグメントにより区分された長方形状のバーによる表示と数値による表示とを同時に行う、請求項１に記載の血圧測定装置。
【請求項８】
所定血圧区分を示す基準値を、前記バー上の当該基準値に対応する血圧値を指示する位置に、関連付けて表示する、請求項７に記載の血圧測定装置。
【発明の詳細な説明】
【技術分野】
【０００１】
この発明は、血圧測定装置に関し、特に、血圧測定結果を操作に応じて切替えて表示する血圧測定装置に関する。
【背景技術】
【０００２】
血圧は、朝（起床後）と夜（就寝前）に測定することが望ましいとされている。また、近年、高血圧の中でも心血管リスクを高める早朝高血圧が注目されている。早朝高血圧とは、特に、起床後（朝）の血圧値が高い場合をいう。また、朝のみ高いか否かによって、投薬の種類が変わる。以上より、早朝高血圧を発見し、適切な治療を受けるためには朝（起床後）と夜（就寝前）の血圧値を比較することが有効だと考えられる。
【０００３】
このような血圧の比較に関する従来の技術としては、次に示すようなものがある。
血圧計の朝平均または夜平均ボタンを押すと、それぞれの血圧値が表示される装置において、朝平均（夜平均）ボタンを連続して押した場合には押す毎に１週前の平均値、２週前の平均値、３週前の平均値、・・・と表示が推移していく機能が提供されている（これを、技術１と称する）。
【０００４】
また、特許文献１（登録実用新案第３１１７９７０号公報）には、血圧値と脈拍数などを交互に表示し、操作手順を少なくする構成が示される（これを技術２と称する）。
【先行技術文献】
【特許文献】
【０００５】
【特許文献１】登録実用新案第３１１７９７０号公報
【発明の概要】
【発明が解決しようとする課題】
【０００６】
上述の技術１に関しては、同じ週の朝平均と夜平均を比較したい場合、ボタンを２回以上押さなければならず、操作手順が多くなってしまう。また、意識しないと朝の測定値と夜の測定値を比較できず、比較することの大切さを知らない測定者に気づいてもらうことはできない。また、技術２に関しては、交互に表示することにより表示スペースの節約ができるが、同じカテゴリのデータ（たとえば、血圧値）を交互に表示しているわけではないので、血圧値どうしを比較することはできない。
【０００７】
それゆえに、この発明の目的は、値の比較を容易に可能ならしめる態様で血圧値を表示する血圧測定装置を提供することである。
【課題を解決するための手段】
【０００８】
この発明のある局面に従う血圧測定装置は、生体の測定部位に装着されるカフと、血圧測定のためにカフの圧力を調整しながら血圧を算出する制御部と、制御部により算出された朝に該当する時間帯に測定された朝血圧データと、夜に該当する時間帯に測定された夜血圧データを記憶する記憶部と、表示部と、表示部を用いた表示に関する指示を入力するために操作される表示操作部と、記憶部からデータを読出し、読出したデータを表示部に表示する表示処理部とを備え、表示処理部は、表示操作部を介して入力する指示に基づき、記憶部から読出した朝血圧データと、夜血圧データとを、表示部に、所定時間毎に交互に切替え表示する。
【０００９】
好ましくは、朝血圧データは、所定期間内の朝に該当する時間帯に測定された血圧のデータの平均を指し、夜血圧データは、所定期間内の夜に該当する時間帯に測定された血圧のデータの平均を指す。
【００１０】
好ましくは、表示処理部は、表示操作部を介して指示が繰返し連続入力される場合において、当該指示が入力される毎に、記憶部から、測定時間の時系列順に従い血圧データを読出す。
【００１１】
好ましくは、表示処理部は、記憶部から朝血圧データを読出し表示部に表示しているとき、表示操作部を介して指示が入力されると、記憶部から次位の測定時間の朝血圧データを読出し表示部に表示し、記憶部から夜血圧データを読出し表示部に表示しているとき、表示操作部を介して指示が入力されると、記憶部から次位の測定時間の夜血圧データを読出し表示部に表示する。
【００１２】
好ましくは、表示処理部は、朝血圧データを表示する場合に、当該朝血圧データの血圧値が、所定血圧区分に該当することを指す情報を、当該朝血圧データの表示画面と同一画面に表示する。
【００１３】
好ましくは、表示処理部は、夜血圧データを表示する場合に、朝血圧データの血圧値が、所定血圧区分に該当することを指す情報を、当該夜血圧データの表示画面と同一画面に表示する。
【００１４】
好ましくは、表示処理部は、血圧データが指す血圧について、表示部の同一画面において、所定単位の複数のセグメントにより区分された長方形状のバーによる表示と数値による表示とを同時に行う。
【００１５】
好ましくは、所定血圧区分を示す基準値を、バー上の当該基準値に対応する血圧値を指示する位置に、関連付けて表示する。
【００１６】
好ましくは、所定血圧区分は、早朝高血圧の区分を指す。
【発明の効果】
【００１７】
発明によれば、表示処理部は、表示操作部を介して入力する指示に基づき、記憶部から読出した朝血圧データと、夜血圧データとを、表示部に、所定時間毎に交互に切替え表示するので、値の比較を容易に可能ならしめる態様で血圧値を表示することができる。
【図面の簡単な説明】
【００１８】
【図１】実施の形態に係る自動巻き型電子血圧計の概観図である。
【図２】実施の形態に係る自動巻き型電子血圧計のエアー系の概略構成図である。
【図３】実施の形態に係る自動巻き型電子血圧計の血圧測定時の使用態様を模式的に示す図である。
【図４】実施の形態に係る自動巻き型電子血圧計のハードウェア構成図である。
【図５】実施の形態に係る自動巻き型電子血圧計の機能構成図である。
【図６】実施の形態に係る自動巻き型電子血圧計のメモリ構成図である。
【図７】実施の形態に係る血圧測定処理のフローチャートである。
【図８】実施の形態に係る呼出し表示処理の一例を示すフローチャートである。
【図９】実施の形態に係る表示の一例を示す図である。
【図１０】（Ａ）〜（Ｄ）は、実施の形態に係る表示の他の例を示す図である。
【図１１】（Ａ）と（Ｂ）は、実施の形態に係る表示のさらなる他の例を示す図である。
【図１２】（Ａ）と（Ｂ）は、実施の形態に係る表示のさらなる他の例を示す図である。
【図１３】（Ａ）と（Ｂ）は、実施の形態に係る表示のさらなる他の例を示す図である。
【図１４】（Ａ）と（Ｂ）は、実施の形態に係る表示のさらなる他の例を示す図である。
【図１５】（Ａ）と（Ｂ）は、実施の形態に係る表示のさらなる他の例を示す図である。
【図１６】実施の形態に係る呼出し表示処理の他の例を示すフローチャートである。
【図１７】（Ａ）と（Ｂ）は、実施の形態に係る表示のさらなる他の例を示す図である。
【図１８】（Ａ）と（Ｂ）は、実施の形態に係る表示のさらなる他の例を示す図である。
【図１９】（Ａ）〜（Ｄ）は、実施の形態に係る表示のさらなる他の例を示す図である。
【図２０】（Ａ）と（Ｂ）は、実施の形態に係る表示のさらなる他の例を示す図である。
【図２１】（Ａ）と（Ｂ）は、実施の形態に係る表示のさらなる他の例を示す図である。
【図２２】実施の形態に係る他の血圧測定装置の概観図である。
【発明を実施するための形態】
【００１９】
以下、この発明の各実施の形態について図面を参照して詳細に説明する。なお、各図中、同一符号は同一または相当部分を指し、その説明は繰返さない。
【００２０】
（自動巻き型電子血圧計）
本発明に係る血圧測定装置として、自動巻き型電子血圧計１を例示する。
【００２１】
図１には、自動巻き型電子血圧計１の概観が示される。図２には、自動巻き型電子血圧計１のエアー系の概略構成が示される。図３には、自動巻き型電子血圧計１の血圧測定時の使用態様が模式的に示される。図４には、自動巻き型電子血圧計１のハードウェア構成が示される
図２〜図４を参照して自動巻き型電子血圧計１は、血圧測定用空気袋５０、血圧測定用空気袋５０を測定部位に固定するための圧迫固定用空気袋５１、血圧測定用空気袋５０にチューブ５３を介して空気を供給または排出するための血圧測定用エアー系５２、血圧測定用エアー系５２に関連して設けられる増幅器３５、ポンプ駆動回路３６、弁駆動回路３７およびＡ／Ｄ変換器３８を備える。さらに自動巻き型電子血圧計１は、圧迫固定用空気袋５１にチューブ５５を介して空気を供給または排出するための圧迫固定用エアー系５４、圧迫固定用エアー系５４に関連して設けられる増幅器４５、ポンプ駆動回路４６、弁駆動回路４７およびＡ／Ｄ変換器４８を備える。さらに自動巻き型電子血圧計１は、各部を集中的に制御および監視するためのＣＰＵ３０、測定された血圧値などの各種情報を記憶するためのメモリ３９、血圧測定結果を含む各種情報を表示するための表示部４０、測定のための各種指示を入力するために操作される操作部４１、タイマ４９および後述のセンサ１０７を内蔵するヒンジ部１０６を備える。
【００２２】
血圧測定用エアー系５２は血圧測定用空気袋５０内の圧力（以下、カフ圧という）を検出して出力する圧力センサ３２、血圧測定用空気袋５０に空気を供給するためのポンプ３３および血圧測定用空気袋５０の空気を排出しまたは閉じ込めるために開閉される弁３４を有する。増幅器３５は圧力センサ３２の出力信号を増幅してＡ／Ｄ変換器３８に与えるので、Ａ／Ｄ変換器３８は与えられたアナログ信号をデジタル信号に変換してＣＰＵ３０に出力する。ポンプ駆動回路３６はポンプ３３の駆動をＣＰＵ３０から与えられる制御信号に基づいて制御する。弁駆動回路３７は弁３４の開閉制御をＣＰＵ３０から与えられる制御信号に基づいて行なう。
【００２３】
圧迫固定用エアー系５４は圧迫固定用空気袋５１内の圧力を検出して出力するための圧力センサ４２、圧迫固定用空気袋５１に空気を供給するためのポンプ４３、圧迫固定用空気袋５１の空気を排出しまたは閉じ込めるために開閉される弁４４を有する。増幅器４５は圧力センサ４２の出力信号を増幅してＡ／Ｄ変換器４８に与えるので、Ａ／Ｄ変換器４８は与えられるアナログ信号をデジタル信号に変換してＣＰＵ３０に出力する。ポンプ駆動回路４６はＣＰＵ３０から与えられる制御信号に従いポンプ４３の駆動を制御する。弁駆動回路４７はＣＰＵ３０から与えられる制御信号に従って弁４４の開閉を制御する。
【００２４】
図１と図３を参照して、自動巻き型電子血圧計１は、被測定者の測定部位である上腕を固定するための固定用筒状ケース５７、血圧計本体部５８および測定時に肘関節以下の腕をおくための載置部５９を備える。固定用筒状ケース５７には、ＬＣＤ（liquid Crystal Display）などからなる表示部４０、および外部操作が可能なように操作部４１を備える。
【００２５】
操作部４１は、電源スイッチ４１Ａ、被測定者を選択するために操作されるスイッチ４１Ｂ、血圧測定の開始および停止を指示するためのスイッチ４１Ｃ、ならびに記憶した測定データを読出し表示部４０に表示（後述の呼出し表示）するために操作されるスイッチ４１Ｄおよびスイッチ４１Ｅを含む。スイッチ４１Ｄは後述の朝時間帯測定データおよび夜時間帯測定データを呼出し表示するために操作される。
【００２６】
本実施の形態では、自動巻き型電子血圧計１は２人分の血圧測定データを記憶することが可能であると想定するので、スイッチ４１Ｂの操作により、たとえば、ユーザＡとＢを指定することができる。また、スイッチ４１Ｂの操作によりユーザＡとＢ以外のビジターを指定することができる。ビジターが指定された場合には、血圧測定を行なうことができるけれども、その血圧測定データは記憶されない。
【００２７】
固定用筒状ケース５７の内周面には、測定部位に装着される血圧測定用空気袋５０を有する。図３には、血圧測定するために固定用筒状ケース５７の図面手前方向から被測定者の測定部位である上腕が挿通されて固定された状態が示される。
【００２８】
自動巻き型電子血圧計１は、非使用時には、載置部５９は接続部５９１を介して血圧計本体部５８側に折り畳まれる。また、固定用筒状ケース５７はヒンジ部１０６を介して血圧計本体部５８側に倒されて両者は一体的構成を採る。血圧測定時および記憶した測定データを読出し表示する場合には、一体的構成の状態から、被測定者は、図１のように、固定用筒状ケース５７をヒンジ部１０６を介して図面手前方向（被測定者側）に回動して、血圧計本体部５８から離す。これにより、図３のように、被測定者は固定用筒状ケース５７内に腕を挿通可能な状態となる。この状態では、固定用筒状ケース５７と血圧計本体部５８は、ヒンジ部１０６を介して接続された状態にある。
【００２９】
図２には、図３の状態における固定用筒状ケース５７の横断面が模式的に示される。固定用筒状ケース５７には測定部位である上腕の外周から固定用筒状ケース５７の内周面方向に向かって、測定用空気袋５０、その径が伸縮自在の圧迫固定用カーラー５６および圧迫固定用空気袋５１が設けられる。圧迫固定用エアー系５４により空気が徐々に供給されて圧迫固定用空気袋５１が膨張すると、その作用により圧迫固定用カーラー５６は径を縮ませるので、それに伴い圧迫固定用カーラー５６と人体（上腕）の間に介在する測定用空気袋５０が測定部位に対して押圧される。これにより、測定用空気袋５０は圧迫固定用カーラー５６および圧迫固定用空気袋５１により人体（腕）の周囲に巻付けられて固定され、血圧測定可能な状態となる。
【００３０】
（機能構成について）
図５を参照し、本実施の形態に係る自動巻き型電子血圧計１の機能構成について説明する。自動巻き型電子血圧計１は、圧力調整部１０１、平均算出部１０２１を含む血圧算出部１０２、入力判別部１０３、表示処理部１０４および傾き検出部１０５を有する。圧力調整部１０１は、ポンプ駆動回路３６および４６、ならびに弁駆動回路３７および４７を制御することにより、測定用空気袋５０および圧迫固定用空気袋５１の内圧を調整する。
【００３１】
血圧算出部１０２は、Ａ／Ｄ変換器３８から入力する信号に基づき血圧を算出し、算出結果をメモリ３９に格納する。また、算出結果を表示するために表示処理部１０４に出力する。血圧算出部１０２の機能の詳細は後述する。
【００３２】
平均算出部１０２１は、タイマ４９が計時する時間データに基づき、毎週、所定曜日（たとえば日曜日）になると、過去１週間分の血圧測定データをメモリ３９から読出し、読出した１週間分の測定データに基づき平均の測定値を算出して、算出した平均データをメモリ３９に格納する。平均算出部１０２１の機能の詳細は後述する。
【００３３】
入力判別部１０３は、操作部４１が、被測定者により操作されることによって出力する信号を入力し、入力信号に基づき、操作部４１のいずれのスイッチが操作されたかを判定し、判定結果を出力する。具体的には、入力判別部１０３は各種スイッチ毎に、当該スイッチが操作されたときに出力される信号レベルを対応付けて予め記憶している。ユーザによるスイッチ操作時には、操作部４１から入力する信号のレベルと、記憶しておいたレベルとを比較照合し、一致するレベルに対応して記憶するスイッチの種別を特定する。これにより、操作されたスイッチの種類を判定できる。
【００３４】
傾き検出部１０５は、ヒンジ部１０６のセンサ１０７に関連して設けられる。センサ１０７は、ヒンジ部１０６を介した血圧計本体部５８に対する固定用筒状ケース５７の傾斜角度（図３の角度αを参照）を検出する。検出した傾斜角度の信号は傾き検出部１０５に与えられる。傾き検出部１０５は、入力する傾き角度信号が指す角度と、予め記憶した所定角度とを比較して、比較結果に基づく信号を、傾き検出信号として表示処理部１０４および血圧算出部１０２に出力する。
【００３５】
表示処理部１０４は、表示部４０にデータを表示するための機能を有し、具体的には、血圧測定中の表示を行なうための測定中処理部１１１、血圧測定終了時に今回の血圧測定結果を表示するための今回測定処理部１１２、メモリ３９に格納された各回の測定結果を読出して表示するための毎回処理部１１３、およびメモリ３９に格納された週単位の平均の血圧測定結果を読出して表示するための週毎処理部１１４を含む。
【００３６】
圧力調整部１０１、血圧算出部１０２、入力判別部１０３、表示処理部１０４および傾き検出部１０５の機能は、予めプログラムとしてメモリ３９に格納されており、ＣＰＵ３０はメモリ３９からこれらプログラムを読出し実行することにより、対応する各部の機能が実現される。
【００３７】
なお、図５においては、ＣＰＵ３０と入出力する周辺回路としては、ＣＰＵ３０の実行する機能に関連する回路のみを示している。
【００３８】
（メモリ構成について）
図６には、メモリ３９の記憶内容の一例が示される。メモリ３９は、領域Ｅ１、Ｅ２、Ｅ３およびＥ４を含む。領域Ｅ１は、血圧測定が実施された場合に、測定結果がレコードＲ０の形式で一時的に格納される領域である。領域Ｅ２、Ｅ３およびＥ４のそれぞれには、ユーザＡとＢのそれぞれについて血圧測定結果を格納するための領域が設けられる。
【００３９】
領域Ｅ２は、血圧測定が行なわれる毎に、血圧測定結果である領域Ｅ０のレコードＲ０が、レコードＲ１の形式で格納される。より具体的には、ユーザＡの血圧測定結果のレコードＲ１は、領域Ｅ２内の領域Ｅ２ａに格納され、ユーザＢの血圧測定結果のレコードＲ１は領域Ｅ２内の領域Ｅ２ｂに格納される。
【００４０】
領域Ｅ３には、領域Ｅ２に格納された血圧測定結果に基づき、週毎に算出された朝時間帯測定データの平均データがレコードＲ２の形式で格納される。より具体的には、ユーザＡの領域Ｅ２ａに格納されたデータに基づく週単位の朝時間帯測定データの平均データは、領域Ｅ３ａに格納される。同様に、ユーザＢの領域Ｅ２ｂに格納されたデータに基づく週単位の朝時間帯の測定データの平均データは領域Ｅ３内の領域Ｅ３ｂに格納される。
【００４１】
領域Ｅ４には、領域Ｅ２に格納された血圧測定結果に基づき、週毎に算出された夜時間帯測定データの平均データがレコードＲ３の形式で格納される。より具体的には、ユーザＡの領域Ｅ２ａに格納されたデータに基づく週単位の夜時間帯の測定データの平均データは、領域Ｅ４ａに格納される。同様に、ユーザＢの領域Ｅ２ｂに格納されたデータに基づく週単位の夜時間帯の測定データの平均データは領域Ｅ４内の領域Ｅ４ｂに格納される。
【００４２】
領域Ｅ１のレコードＲ０は、今回の血圧測定結果として、最高血圧のデータＳＹＳ、最低血圧のデータＤＩＡ、脈拍数のデータＰＬ、測定時間のデータＴＭ、早朝高血圧に該当するか否かを指示するデータＤＥ１、血圧測定中に被測定者が体を動かしたか否かを指示するデータＤＥ２、固定用筒状ケース５７が正常な測定のための所定角度から、傾いていたか否かを指示するデータＤＥ３およびユーザを識別するためのデータＤＥ４を含む。
【００４３】
データＴＭは測定時間を指し、血圧算出部１０２が、タイマ４９から入力する時間データをデータＴＭとしてレコードＲ０に格納する。
【００４４】
データＤＥ４は、スイッチ４１Ｂの操作により指示される被測定者の別であり、血圧算出部１０２が入力判別部１０３から入力する信号をデータＤＥ４としてレコードＲ０に格納する。
【００４５】
データＤＥ３は、傾き検出部１０５が、血圧測定中にセンサ１０７によって検出する固定用筒状ケース５７の角度αが、正常な測定姿勢である場合の所定角度の範囲から、外れているか否かを検出した結果を指示する。被測定者が正常な測定姿勢である場合の固定用筒状ケース５７の所定角度のデータは、予め実験などにより検出されて、メモリ３９の所定記憶領域に格納されていると想定する。
【００４６】
データＤＥ２は、傾き検出部１０５が、血圧測定中に被測定者が体を動かしたか否かを検出した結果を指示する。測定中に体を動かした場合には、測定精度が低くなることが知られている。傾き検出部１０５は、血圧測定中にセンサ１０７から入力する角度信号が一定範囲で収束せずに一定範囲を外れて変動したことを検出した場合には、体動があったと検出する。傾き検出部１０５による固定用筒状ケース５７の角度αの判定結果および体動の有無の検出結果は、血圧算出部１０２に出力される。血圧算出部１０２は、傾き検出部１０５から入力した検出結果を、データＤＥ２およびＤＥ３としてレコードＲ０に格納する。
【００４７】
領域Ｅ２ａに格納されるレコードＲ１は、領域Ｅ２ａに格納された順番、すなわち測定時間順序に従うシリアル番号を示すデータＤＮ、データＳＹＳ、ＤＩＡ、ＰＬおよびＴＭ、ならびにデータＤＥ１、ＤＥ２およびＤＥ３を含む。ユーザＢのための領域Ｅ２ｂにおいてもレコードＲ１が同様に格納される。領域Ｅ２ａ、Ｅ２ｂのそれぞれにおいては、たとえば最大９９件のレコードＲ１を格納することができる。
【００４８】
領域Ｅ３内のユーザＡのための領域Ｅ３ａには、領域Ｅ２ａに格納されたレコードＲ１のうち、データＴＭが朝時間帯を指すレコードＲ１に基づき算出された１週間単位の測定データの平均を表わすデータを格納するレコードＲ２が格納される。レコードＲ２は、何週目のデータであるかを指示するデータＷＮ、１週間分の朝時間帯測定の最高血圧データＳＹＳの平均を示すデータＡＳＹＳ、１週間分の朝時間帯測定の最低血圧のデータＤＩＡの平均を表わすデータＡＤＩＡ、１週間分の朝時間帯測定の脈拍数のデータＰＬの平均を表わすデータＡＰＬ、および当該レコードＲ２に格納されるデータＡＳＹＳおよびＡＤＩＡが指示する平均の血圧が早朝高血圧を指示するか否かを示すデータＡＥ１を格納する。同様に、ユーザＢのための領域Ｅ３ｂにおいては、領域Ｅ２ｂに格納されたデータに基づき、１週間単位で算出されたデータＡＳＹＳ、ＡＤＩＡ、ＡＰＬ、およびＡＥ１が格納されたレコードＲ２が登録される。
【００４９】
領域Ｅ４内のユーザＡのための領域Ｅ４ａにおいては、領域Ｅ２ａに格納されたレコードＲ１のうちデータＴＭが夜時間帯を指すレコードＲ１に基づき、夜時間帯測定データの１週間単位の平均値のデータを格納したレコードＲ３が格納される。同様に、ユーザＢのための領域Ｅ４ｂにおいては、領域Ｅ２ｂに格納されたレコードＲ１のうちデータＴＭが夜時間帯を指すレコードＲ１に基づき、１週間単位で、夜時間帯測定データに基づく平均を格納したレコードＲ３が格納される。
【００５０】
領域Ｅ３ａ、Ｅ３ｂ、Ｅ４ａおよびＥ４ｂそれぞれには、たとえば、最大７週分のレコードが格納される。具体的には、今週分（データＷＮは‘０’を指示する）、先週分（１週前：データＷＮは‘１’を指示する）、先々週分（２週前：データＷＮは‘２’を指示する）、・・・の合計７週分のレコードが格納可能である。新たに今週分のデータが算出されるとき、最も過去に格納されたレコード、すなわちデータＷＮの指示する値が‘６’であるレコードに新たに算出された内容が上書きされる。また、この上書きが行なわれるとき、当該レコードのデータＷＮの値は‘６’→‘０’に更新され、他の各レコードのデータＷＮの値は＋１更新される。
【００５１】
領域Ｅ２、Ｅ３およびＥ４のそれぞれには、ポインタＰ１、Ｐ２およびＰ３が設けられる。ポインタＰ１は、領域Ｅ２において現在データが読出されたレコードＲ１を指示する。ポインタＰ２は、領域Ｅ３において現在データが読出されたレコードＲ２を指示する。ポインタＰ３は、領域Ｅ４において現在データ読出されたレコードＲ３を指示する。
【００５２】
（血圧の算出／平均算出機能について）
血圧算出部１０２は、Ａ／Ｄ変換器３８から入力する脈波信号に基づき、周知の方法、たとえばオシロメトリック法に従い血圧（最高血圧（収縮期血圧）および最低血圧（拡張期血圧））を算出する。また、周知方法により脈拍を算出する。
【００５３】
さらに、血圧算出部１０２は、血圧測定が行なわれる都度、早朝高血圧の有無、測定中の体動の有無、測定中の固定用筒状ケース５７の傾き角度αが適正であるかの有無、およびユーザの別を判定し、判定結果を、測定データと関連付けてメモリ３９に格納する。
【００５４】
日本高血圧学会によれば家庭血圧で最高血圧が１３５ｍｍＨｇ以上または最低血圧が８５ｍｍＨｇ以上である場合には、高血圧と規定する。特に、起床後の血圧がこの高血圧の条件に該当する場合には、早朝高血圧と規定する。早朝高血圧は、心血管リスクを高める要因となるものである。そこで、本実施の形態では、血圧測定が、タイマ４９の計時データに基づき、午前４時〜１０時までに行なわれたと検出した場合には、朝時間帯の測定と判定し、午後７時〜午前２時までに測定がされたと検出した場合には、夜時間帯の測定と判定する。さらに、朝時間帯の測定データＳＹＳとＤＩＡについて、高血圧の指標データ（１３５ｍｍＨｇ／８５ｍｍＨｇ）と比較し、比較結果に基づき早朝高血圧であるか否かを検出する。検出結果は、データＤＥ１として格納される。
【００５５】
なお、朝・夜時間帯（午前４時〜１０時・午後７時〜午前２時）および高血圧の指標データ（１３５ｍｍＨｇ／８５ｍｍＨｇ）は、予めメモリ３９の所定記憶領域に格納されている。
【００５６】
平均算出部１０２１は、スイッチ４１Ｂの操作による信号を入力判別部１０３を介して入力し、入力信号に基づきユーザを識別する。そして、識別したユーザに対応のメモリ３９の領域に格納された過去の測定データを検索し、１週間分の朝時間帯の測定データの平均データを算出し、また、同様にして、１週間分の夜時間帯の測定データの平均データを算出する。
【００５７】
具体的には、タイマ４９の計時データに基づき、所定曜日になると（たとえば、日曜日になると）、ユーザごとに、過去１週間分の朝時間帯のレコードＲ１の測定データ（データＴＭが午前４時〜１０時を指示するレコードＲ１の測定データ）をメモリ３９の領域Ｅ２から読出し、読出した１週間分の測定データの平均を算出し、その結果をメモリ３９の領域Ｅ３に格納する。同様に、ユーザごとに、過去１週間分の夜時間帯の測定データ（データＴＭが午後７時〜午前２時を指示するレコードＲ１の測定データ）をメモリ３９の領域Ｅ２から読出し、読出した１週間分の測定データの平均を算出し、その結果をメモリ３９の領域Ｅ４に格納する。
【００５８】
平均算出部１０２１は、算出した朝時間帯の平均測定データＡＳＹＳとＡＤＩＡについて、高血圧の指標データ（１３５ｍｍＨｇ／８５ｍｍＨｇ）と比較し、比較結果に基づき早朝高血圧であるか否かを検出する。検出結果は、データＡＥ１としてレコードＲ２に格納される。
【００５９】
また、平均算出部１０２１は、毎日、血圧測定が行なわれる毎に、各ユーザ毎に、領域Ｅ２の今週分（直前の日曜日から今日まで）の朝時間帯および夜時間帯のレコードＲ１の測定データに基づき、今週分の朝時間帯および夜時間帯の測定データの平均を算出し、その結果をレコードＲ２（データＷＮは‘０’）としてメモリ３９の領域Ｅ３とＥ４にそれぞれ格納する。
【００６０】
（血圧測定処理）
図７のフローチャートに従い本実施の形態に係る血圧測定処理を説明する。図７のフローチャートに従うプログラムはメモリ３９の所定記憶領域に格納されており、ＣＰＵ３０がプログラムを読出し実行することにより血圧測定処理が実現される。
【００６１】
ばお、以下に示す血圧測定処理は一例であり、血圧測定の手法については、特に限定されるものではない。
【００６２】
図３のような測定状態において、ＣＰＵ３０は、はじめに、初期化処理を行なう（ステップＳ３０２）。具体的には、血圧測定用空気袋５０および圧迫固定用空気袋５１の空気の排気や、圧力センサ５２と５４の補正などを行なう。
【００６３】
測定可能状態になると、圧力調整部１０１はポンプ駆動回路３６および４６を所定手順に従い駆動し、血圧測定用空気袋５０および圧迫固定用空気袋５１の圧力を徐々に上昇させる（ステップＳ３０４）。圧迫固定用空気袋５１により測定部位に血圧測定用空気袋５０が巻付け固定されると、血圧測定用空気袋５０の内圧（カフ圧）が徐々に上昇し血圧測定のための所定レベルにまで達すると、圧力調整部１０１はポンプ駆動回路３６を制御してポンプ３３を停止させる。本実施の形態では、この所定レベルに達するまでの加圧過程において血圧算出が行われる。
【００６４】
加圧過程においてＡ／Ｄ変換器３８を介して検出される圧脈波信号に基づき、血圧算出部１０２は、公知の手順で血圧（最高血圧、最低血圧）を算出する（ステップＳ３０６）。また、血圧算出部１０２は、公知の手順で脈拍数を算出する。
【００６５】
算出された血圧と脈拍数は、前述のレコードＲ０としてメモリ３９の領域Ｅ１に格納されるとともに、レコードＲ０の内容は表示処理部１０４の今回測定処理部１１２に与えられる。今回測定処理部１１２は、与えられるデータに基づき画像データを生成して、表示部４０に出力する（ステップＳ３０８）。したがって、表示部４０は、入力する画像データにもとづき画面を表示する。
【００６６】
ステップＳ３０８の表示処理に続いて、血圧算出部１０２は、レコードＲ０のデータに基づきレコードＲ１を生成して、生成したレコードＲ１を、メモリ部３９の領域Ｅ２の当該ユーザの領域に格納する（ステップＳ３１０）。ここでは、被測定者は、ユーザＡまたはＢとしてスイッチ４１Ｂの操作によって予め選択されていると想定するので、生成されたレコードＲ１は領域Ｅ２ａまたはＥ２ｂに格納される。
【００６７】
血圧測定後は、血圧測定用空気袋５０および圧迫固定用空気袋５１の空気は急速に排気がされて、測定処理は終了する。
【００６８】
なお、ステップＳ３０８の表示処理は、ステップＳ３１０の記憶処理の後に行なわれてもよい。また、血圧測定は加圧過程でされるとしたが、減圧過程でされてもよい。
【００６９】
また、後述するように表示部４０の画面には血圧値を表示する棒グラフ状のインジケータを表示することができるので、測定中処理部１１１は、加圧過程（ステップＳ３０４）においてカフ圧の上昇に伴い逐次検出される血圧値を、棒グラフとデジタル数値により画面表示するようにしてもよい。
【００７０】
（呼出し表示処理）
本実施の形態では、操作部４１の操作による指示に応答して、メモリ３９に格納された血圧測定データを読出し、表示部４０に表示する。これを呼出し表示処理という。本実施の形態では、呼出し表示処理を指示するためにスイッチ４１Ｄまたはスイッチ４１Ｅが操作される。
【００７１】
ここでは、メモリ３９には十分な件数のレコードＲ１、Ｒ２およびＲ３が、データＤＮおよびＷＮの値の昇順に格納されていると想定する。また、スイッチ４１Ｂの操作によりユーザＡが指定されていると想定する。したがって、ユーザＡの血圧測定データについて呼出し表示処理が行われる場合を説明する。なお、スイッチ４１Ｂが操作されてユーザＢが指定されている場合でも、処理は同様に行われる。
【００７２】
まず、スイッチ４１Ｅが操作される場合の呼出し表示処理について説明する。
スイッチ４１Ｅが操作されると、スイッチ４１Ｂにより指定されたユーザ毎に、領域Ｅ２からポインタＰ１が指示するレコードＲ１のデータが、毎回処理部１１３によって読出されて、読出されたデータに基づき表示のための画像データが生成されて表示部４０に与えられる。したがって、表示部４０には、スイッチ４１Ｅが操作される毎に移動するポインタＰ１が指示するレコードＲ１の測定データに基づく画面が切替え表示される。
【００７３】
次に、スイッチ４１Ｄが操作される場合の週毎処理部１１４による呼出し表示処理について、図８のフローチャートに従い説明する。図８のフローチャートに従うプログラムはメモリ３９の所定記憶領域に格納されており、ＣＰＵ３０がプログラムを読出し実行することにより以下の処理が実現される。
【００７４】
まず、ＣＰＵ３０の入力判別部１０３は、操作部４１の操作されたスイッチの種別を操作部４１からの出力信号に基づき判定する（ステップＴ１）。入力判別部１０３が、判定結果に基づき、スイッチ４１Ｄが操作されたと判定すると（ステップＴ１でＹＥＳ）、後述のステップＴ５の処理に移るが、スイッチ４１Ｄが操作されたと判定されない場合には（ステップＴ１でＮＯ）、操作されたスイッチに従う他の処理（ステップＴ３）が行なわれる。
【００７５】
ステップＴ５では、メモリ３９のポインタの値を指す一時変数Ｎに値１が設定される。これにより、メモリ３９のポインタＰ２とＰ３は領域Ｅ３ａおよびＥ４ａそれぞれの先頭に格納されたレコードＲ２およびＲ３のそれぞれを指示する。
【００７６】
次に、入力判別部１０３による操作スイッチの種別の判定結果に基づき、表示処理部１０４の週毎処理部１１４は、ポインタＰ２が指示する領域Ｅ３ａのレコードＲ２を読出し、読出したデータに基づき表示すべき画像のデータを生成し、生成したデータを表示部４０に与える。したがって、表示部４０には、画像データに基づく画像が表示される（ステップＴ７）。ステップＴ７における表示画像の一例が、後述する図９、図１０（Ａ）〜（Ｄ）に示される。
【００７７】
次に、ＣＰＵ３０は、タイマ４９の出力する時間データに基づき、ステップＴ７の画像を表示開始してから、スイッチ４１Ｄが操作されることなく（ステップＴ１１でＮＯ）、３秒の時間が経過したか否かを判定する（ステップＴ９）。
【００７８】
スイッチ４１Ｄが操作されることなく３秒経過したことが判定されると（ステップＴ１１でＮＯ、ステップＴ９でＹＥＳ）、ＣＰＵ３０は、週毎処理部１１４に指示し、ポインタＰ３が指示するレコードＲ３に基づく画像を表示するように指示する。この指示に応じて週毎処理部１１４は、メモリ３９の領域Ｅ４ａのポインタＰ３が指示するレコードＲ３のデータを読出し、読出したデータに基づき表示すべき画像のデータを生成し、生成したデータを表示部４０に与える。したがって、表示部４０には、レコードＲ３のデータにより生成された画像データに基づく画像が、ステップＴ７の画像に切替えて表示される（ステップＴ１９）。ステップＴ１９における表示画像の一例が図１１（Ａ）および（Ｂ）に示される。
【００７９】
次に、ＣＰＵ３０は、タイマ４９の出力する時間データに基づき、ステップＴ１９の画像を表示開始してから、スイッチ４１Ｄが操作されることなく（ステップＴ２３でＮＯ）、３秒の時間が経過したか否かを判定する（ステップＴ２１）。
【００８０】
スイッチ４１Ｄが操作されることなく３秒経過したことが判定されると（ステップＴ２３でＮＯ、ステップＴ２１でＹＥＳ）、処理はステップＴ７に戻り、ステップＴ７以降の処理が同様に行われる。したがって、表示部４０の画像は、ステップＴ１９の画面の前に表示されていたステップＴ７の画面に切替え表示される。
【００８１】
このように、スイッチ４１Ｄを１回操作するだけで、変数Ｎに対応する今週またはＮ週前の朝時間帯の平均データと夜時間帯の平均データとが表示部４０の画面に３秒間隔で交互に切替え表示する動作が継続する。
【００８２】
ここで、今週またはＮ週前の朝時間帯の平均データの表示開始後、３秒が経過するまでに被測定者がスイッチ４１Ｄを操作した場合には（ステップＴ７、Ｔ９でＮＯ、ステップＴ１１でＹＥＳ）、変数Ｎは＋１更新されるので、ポインタＰ２とＰ３は、次位の週のレコードＲ２とＲ３を指示するように更新される（ステップＴ１３）。この結果、Ｎ＞７であると判定されると、すなわちポインタが指示するレコードは今週から最大週前の範囲のデータであると判定されれば（ステップＴ１５でＮＯ）、ステップＴ７の処理に戻り、現在ポインタＰ２が指すレコードＲ２の朝時間帯の平均データの呼出し表示処理が行なわれる。
【００８３】
なお、最大週前の朝時間帯の平均データを表示開始後３秒以内にスイッチ４１Ｄが操作されると（ステップＴ７、Ｔ９でＮＯ、ステップＴ１１でＹＥＳ、ステップＴ１３、ステップＴ１５でＹＥＳ）、変数Ｎは１に設定される（ステップＴ１７）。これにより、ポインタＰ２は呼出し表示されるべきデータとして、領域Ｅ２ａの先頭に格納されたレコードＲ２（今週の平均データ）を指示する。その結果、最大週前の平均データの表示後は、今週の朝時間帯の平均データの呼出し表示が行なわれることになる。
【００８４】
領域Ｅ３ａの夜時間帯の平均データについてもポインタＰ３の値の更新により同様の処理が行われるので（ステップＴ１９、Ｔ２１でＮＯ、ステップＴ２３でＹＥＳ、ステップＴ２５、ステップＴ２７でＹＥＳ、ステップＴ２９）、最大週前の夜時間帯の平均データの表示後は、今週の夜時間帯の平均データの呼出し表示が行なわれることになる。
【００８５】
このように、Ｎ週前の朝時間帯（または夜時間帯）の平均データの表示開始後３秒を経過するまでに被測定者がスイッチ４１Ｄを操作した場合には、次位の測定時間である（Ｎ＋１）週前の朝時間帯（または夜時間帯）の平均データの呼出し表示処理が行なわれる。
【００８６】
ステップＴ７の表示画面の一例が図９に示される。図９を参照して、表示部４０の画面には、ポインタＰ２のレコードＲ２のデータＡＳＹＳとＡＤＩＡに対応のデータ２００Ａと２００Ｂ、データＡＰＬに対応の脈拍数データ２０１、早朝高血圧の指標である判定基準値２０４を関連付けて示す血圧レベルバー２０２、ユーザの別を指すデータ２０５Ａ、傾き検出部１０５による検出信号に基づく固定用筒状ケース５７の傾きを指すデータ２０８、データＷＮに基づき何週前かを指すデータ２１４Ａの表示が同一画面において同時に行われる。また、朝時間帯の測定データであることを指すデータ２１４Ｂ、表示データは平均データであることを指すデータ２１４Ｃおよび、表示データはメモリ３９から読出した過去の測定データであることを指すデータ２１４Ｄも同時に表示される。
【００８７】
画面では、レコードＲ３のデータＡＥ１に基づき早朝高血圧に該当するかを表示するためのデータ２１１が表示される。図９は、データＡＥ１が、早朝高血圧を指示しないケースである。
【００８８】
また、図９では、早朝高血圧区分の判定基準値２０４を、血圧レベルバー２０２上の基準値２０４に対応する血圧値を指示する位置に、関連付けて表示する。ここでは、判定基準値２０４を表示するとしているが、表示部４０の画面上に予めプリントされていてもよい。
【００８９】
さらに、図９では、血圧レベルバー２０２に重畳して、データ２００Ａと２００Ｂが指す血圧の値を示すセグメントマーク２０３が連なる棒グラフが表示される。ここでは、棒グラフの値が読み易いように、血圧レベルバー２０２上では長方形状のマーク２０３が、たとえば１０ｍｍＨｇ単位のセグメントに区分する目盛りとして表示される。
【００９０】
なお、後述する他の画面表示例の図面では明瞭化のために、図９と同一部分に相当する符号の記載を略している。
【００９１】
図１０（Ａ）〜（Ｃ）には、ステップＴ７における、今週の平均データの呼出し表示の画面例が示される。図１０（Ａ）と（Ｂ）は、メモリ３９からのデータ読出しが正常に行なわれなかった場合の表示例であり、図１０（Ｂ）は読出すべき平均データが無い場合の表示例である。
【００９２】
図１０（Ｃ）と（Ｄ）は、今週の朝時間帯の平均データの呼出し表示の画面例であり、図１０（Ｃ）ではデータ２１１により今週の朝時間帯の平均データは‘早朝高血圧’に該当することが報知される。
【００９３】
図１１（Ａ）と（Ｂ）には、ステップＴ１９における、ポインタＰ３が指すレコードＲ３に従う今週の夜時間帯の平均データの呼出し表示の画面例である。図１１（Ｂ）ではデータ２１１により今週の朝時間帯の平均データは‘早朝高血圧’に該当することが報知される。このデータ２１１の表示は、図１１（Ｂ）の画面を表示するときにポインタＰ２が指しているレコードＲ２中のデータＡＥ１に基づき行なわれる。したがって、ある週の夜時間帯の平均データと、対応する週の朝時間帯の平均データが早朝高血圧に該当しているかの情報とを、同一画面で同時に確認することができる。
【００９４】
図１２（Ａ）と（Ｂ）には、ステップＴ７における、１週前の朝時間帯の平均データの呼出し表示の画面例が示される。画面のデータ２１４Ａにより、１週前のデータであることが示されている。また、図１３（Ａ）と（Ｂ）には、ステップＴ１９における、１週前の夜時間帯の平均データの呼出し表示の画面例が示される。図１３（Ａ）ではデータ２１１により、図１１（Ｂ）と同様に、１週前の朝時間帯の平均データは‘早朝高血圧’に該当することが報知されている。
【００９５】
図１４（Ａ）と（Ｂ）には、ステップＴ７における、７週前の朝時間帯の平均データの呼出し表示の画面例が示される。画面のデータ２１４Ａにより、表示データは７週前の平均測定データであることが示されている。また、図１５（Ａ）と（Ｂ）には、ステップＴ１９における、７週前の夜時間帯の平均データの呼出し表示の画面例が示される。図１５（Ａ）ではデータ２１１により、図１１（Ｂ）と同様に、７週前の朝時間帯の平均データは‘早朝高血圧’に該当することが報知されている。
【００９６】
（他の呼出し表示処理）
次に、図１６のフローチャートを参照して本実施の形態に係る週毎処理部１１４による呼出し表示処理の他の例について説明する。図１６のフローチャートに従うプログラムはメモリ３９の所定記憶領域に格納されており、ＣＰＵ３０がプログラムを読出し実行することにより以下の処理が実現される。
【００９７】
図１６において、ステップＴ３１、Ｔ３３およびＴ３５の処理は、図８のステップＴ１、Ｔ３およびＴ５と同様に行なわれる。
【００９８】
続いて、ステップＴ３７で週毎処理部１１４により変数Ｎの値を有するポインタＰ２が指すレコードＲ２がメモリ３９から呼出し表示される。これにより、今週またはＮ週前の朝時間帯の平均データが表示される。この表示開始後、タイマ４９の計時データに基づき、スイッチ４１Ｄが操作されることなく（ステップＴ５３でＮＯ）３秒間経過したと判定されると（ステップＴ３９でＹＥＳ）、ステップＴ４３の処理が行われる。
【００９９】
ステップＴ４３では、週毎処理部１１４により変数Ｎの値を有するポインタＰ３が指すレコードＲ３がメモリ３９から呼出し表示される。これにより、今週またはＮ週前の夜時間帯の平均データが表示される。この表示開始後、タイマ４９の計時データに基づき、スイッチ４１Ｄが操作されることなく（ステップＴ４７でＮＯ）３秒間経過したと判定されると（ステップＴ４５でＹＥＳ）、ステップＴ３７の処理に戻り、Ｎ週前の朝時間帯の平均データの表示にもどる。
【０１００】
このように、被測定者は、スイッチ４１Ｄを操作した後、何ら操作をしなければ、表示部４０には、Ｎ週前（または今週）の朝時間帯の平均データの画面（図１７参照）と、Ｎ週前（または今週）の夜時間帯の平均データの画面（図１８参照）とが３秒毎に自動的に切替え表示される。
【０１０１】
図１７（Ａ）と図１８（Ｂ）は、今週と先週（１週前）の朝時間帯の平均データの表示画面例を示す。図１７（Ｂ）は、図１７（Ａ）と交互に表示される今週の夜時間帯の平均データの表示画面例である。図１７（Ｂ）の４つの画面表示例は、今週の夜時間帯の平均データが高血圧区分（１３５ｍｍＨｇ／８５ｍｍＨｇ）に該当するかと、今週の朝時間帯の平均データが早朝高血圧に該当するかに従い区分して表示する例である。図１８（Ａ）と（Ｂ）は、同様に、交互に表示される１週前の夜時間帯の平均データの表示画面例である。
【０１０２】
また、図１６のフローチャートにおいて、ステップＴ３７において朝時間帯の平均データの表示開始後、３秒経過しないうちに、スイッチ４１Ｄが操作されると（ステップＴ３７、ステップＴ３９でＮＯ、ステップＴ５３でＹＥＳ）、変数Ｎは＋１更新される（ステップＴ５５）。これにより、ポインタＰ２およびＰ３の値は次位のレコードＲ２およびＲ３をそれぞれ指すように更新されて、最大週（Ｎ＝７）を超えない間は（ステップＴ５１でＮＯ）、次位の週の朝時間帯の平均データの画面（図１７または図１８参照）に切替え表示される（ステップＴ３７）。最大週を超えると（ステップＴ５１でＹＥＳ）、処理はステップＴ３５に戻り、先頭のレコードについての呼出し表示処理（ステップＴ３５、ステップＴ３７）が行われる。以降処理が、同様に行なわれる。
【０１０３】
このように、朝時間帯の平均データの画面表示中にスイッチ４１Ｄを操作する毎に、図１９（Ａ）〜（Ｄ）のように、今週の朝時間帯の平均データ→先週（１週前）の朝時間帯の平均データ→先々週（２週前）の朝時間帯の平均データ・・・と連続して表示画面を切替えることができる。図１９（Ａ）〜（Ｄ）のそれぞれでは、上段には早朝高血圧に該当しない平均データの表示例が示されて、下段には早朝高血圧に該当する平均データの表示例が示される。
【０１０４】
同様にして、連続して夜時間帯の平均データの表示画面に切替えることもできる。具体的には、ステップＴ４３において夜時間帯の平均データの表示開始後、３秒経過しないうちにスイッチ４１Ｄが操作されると（ステップＴ４５でＮＯ、ステップＴ４７でＹＥＳ）、変数Ｎが＋１更新される（ステップＴ４９）。これにより、ポインタＰ２およびＰ３の値は次位のレコードＲ２およびＲ３をそれぞれ指すように更新される。最大週（Ｎ＝７）を超えない間は（ステップＴ５７でＮＯ）、次位の週の夜時間帯の平均データの画面に切替え表示される（ステップＴ４３）。最大週を超えると（ステップＴ５１でＹＥＳ）、処理はステップＴ３５に戻り、先頭のレコードについての呼出し表示処理（ステップＴ３５、ステップＴ３７）が行われる。以降処理が、同様に行なわれる。
【０１０５】
このように、夜時間帯の平均データの画面表示中にスイッチ４１Ｄを操作する毎に、図２０（Ａ）と（Ｂ）の今週の夜時間帯の平均データ→先週（１週前）の夜時間帯の平均データに続いて、図２１（Ａ）と（Ｂ）の先々週（２週前）の夜時間帯の平均データ→３週前の夜時間帯の平均データ・・・と連続して表示画面を切替えることができる。
【０１０６】
なお、図２０（Ａ）と（Ｂ）および図２１（Ａ）と（Ｂ）のそれぞれでは、４段で画面表示例が示されるが、表示部４０には、そのいずれかの段の画面が表示される。４段のうち、１段目には夜時間帯の平均データもポインタＰ２が指すレコードＲ２の対応する週の朝時間帯の平均データも早朝高血圧に該当しない例が示される。２段目には、ポインタＰ２が指すレコードＲ２の対応する週の朝時間帯の平均データのみが早朝高血圧に該当する表示例が示される。３段目には、夜時間帯および対応する週の朝時間帯の平均データの両方が高血圧に該当する表示例が示される。そして４段目には、夜時間帯の平均データのみが高血圧に該当する表示例が示される。
【０１０７】
図１７または図１８の表示によれば、ある週の朝時間帯に測定した平均血圧値と対応する週の夜時間帯に測定した平均血圧値を、交互に切替えて表示するとしたので、朝時間帯の血圧値と夜時間帯の血圧値とが画面の同じ場所で交互に切替え表示される。これにより、血圧値の変化を簡単にみることができる。
【０１０８】
また、呼出し表示しょりでは、同一画面ににおいて同時に血圧値を棒グラフでインジケータを表示することによって、血圧値の変化だけでなく、変化量も視覚的に認識しやすくなる。
【０１０９】
また、表示画面を自動的に交互に切替えることによって、被測定者は意識しなくても朝時間帯と夜時間帯の血圧値を比較することになり、早朝高血圧を発見しやすくなる。
【０１１０】
また、それぞれの血圧値を表示するための操作ボタンがスイッチ４１Ｄの１つでよいので操作手順が少なくなり、操作性がよくなる。
【０１１１】
また、操作ボタンを１つにすることによって、血圧測定装置の製造コストを抑えることが出来る。
【０１１２】
（他の血圧測定装置）
本実施の形態に係る血圧測定装置は、図１に示す本体とカフが一体的に構成された自動巻付け型に限定されない。たとえば、図２２に示すように、測定部位に手動で巻付けられるカフ２０と血圧計本体１０Ｂが、エアチューブ２４を介して別体として構成された血圧測定装置であってもよい。血圧計本体１０Ｂの筐体の前面１０Ｂに操作部４１と表示部４０が設けられる。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１４】
４０  表示部、４１  操作部、１０１  圧力調整部、１０２  血圧算出部、１０３  入力判別部、１０４  表示処理部、１１４  週毎処理部、２０２  血圧レベルバー、２０３  マーク、２０４  判定基準値。
【図１】
2010158352.tif 000003
【図２】
2010158352.tif 000004
【図３】
2010158352.tif 000005
【図４】
2010158352.tif 000006
【図５】
2010158352.tif 000007
【図６】
2010158352.tif 000008
【図７】
2010158352.tif 000009
【図８】
2010158352.tif 000010
【図９】
2010158352.tif 000011
【図１０】
2010158352.tif 000012
【図１１】
2010158352.tif 000013
【図１２】
2010158352.tif 000014
【図１３】
2010158352.tif 000015
【図１４】
2010158352.tif 000016
【図１５】
2010158352.tif 000017
【図１６】
2010158352.tif 000018
【図１７】
2010158352.tif 000019
【図１８】
2010158352.tif 000020
【図１９】
2010158352.tif 000021
【図２０】
2010158352.tif 000022
【図２１】
2010158352.tif 000023
【図２２】
2010158352.tif 000024